(57)【要約】【課題】表示側ケースが操作側ケースの短手方向に沿ってスライドするとともに、前記操作側ケースに対して斜めに開けられる携帯式電子装置を提供すること。【解決手段】本発明に係る携帯式電子装置は、位置決め板が装着されている操作側ケースと、スライド機構と、前記スライド機構によって前記操作側ケース上にスライド可能に重ね合せられる表示側ケースと、を備えてなる。前記スライド機構は、連結板、少なくとも１つの弾性部材及び１つの支持部材を含む。外力により前記表示側ケースを前記操作側ケースに対してスライドさせると、前記連結板は前記操作側ケースに対してスライドすると共に前記弾性部材を湾曲させて、前記弾性部材に弾発力を蓄積させ、前記表示側ケースは前記支持部材に支持されて、前記操作側ケースに対して斜めに開けられる。【選択図】図１
2011199835.tif 000002
【特許請求の範囲】
【請求項１】
位置決め板が装着されている操作側ケースと、スライド機構と、前記スライド機構によって前記操作側ケース上にスライド可能に重ね合せられる表示側ケースと、を備えてなる携帯式電子装置であって、
前記スライド機構は、連結板、少なくとも１つの弾性部材及び１つの支持部材を含み、
前記連結板の一端は前記表示側ケースの片側に枢着され、前記連結板の他端は前記弾性部材の一端に連結し、
前記弾性部材の他端は前記操作側ケースに連結され、且つ前記弾性部材は前記位置決め板と前記操作側ケースとの間に挟持され、
前記支持部材の一端は前記操作側ケースにおける前記連結板から離れている片側に回転可能に固定され、前記支持部材の他端は前記表示側ケースに枢着され、
外力により前記表示側ケースを前記操作側ケースに対してスライドさせると、前記連結板は前記操作側ケースに対してスライドすると共に前記弾性部材を湾曲させて、前記弾性部材に弾発力を蓄積させ、前記表示側ケースは前記支持部材に支持されて、前記操作側ケースに対して斜めに開けられることを特徴とする携帯式電子装置。
【請求項２】
前記スライド機構は第一回転軸をさらに含み、前記連結板は前記第一回転軸を介して、前記表示側ケースの前記操作側ケースに対面する表面における長手方向に沿う片側に枢着されることを特徴とする請求項１の記載の携帯式電子装置。
【請求項３】
前記支持部材は前記操作側ケースの前記表示側ケースに対面する表面に装着され、且つ前記連結板に相対して設けられることを特徴とする請求項２に記載の携帯式電子装置。
【請求項４】
前記支持部材は、主体レバー部及び前記主体レバー部の両端に設けられる２つの連接アームを含み、
前記操作側ケース上には回転許容部が形成されており、前記主体レバー部は前記回転許容部内に回転可能に装着され、
前記連接アームは前記主体レバー部と一体に固定され、且つ前記連接アームの自由端部は前記表示側ケースに連結されることを特徴とする請求項３に記載の携帯式電子装置。
【請求項５】
前記スライド機構は２つの第二回転軸をさらに含み、各連接アームの自由端部は前記第二回転軸を介して前記表示側ケースに連結されることを特徴とする請求項４に記載の携帯式電子装置。
【請求項６】
前記弾性部材は、第一弾性段、前記第一弾性段の両端からそれぞれ外側へ延伸する２つの第二弾性段及び各第二弾性段の末端に設けられる取付端部を含み、
前記取付端部は、それぞれ前記連結板と操作側ケースに固定されることを特徴とする請求項１に記載の携帯式電子装置。
【発明の詳細な説明】
【技術分野】
【０００１】
本発明は、電子装置に関し、特に互いに対してスライドして傾くことができる携帯式電子装置に関するものである。
【背景技術】
【０００２】
現在市販されている電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体と下筐体とは単に水平方向にスライドして開閉するので、使用する時に、露出されたキーボード部は表示スクリーンと略同一表面に保たれて、ユーザーは表示スクリーンの画面を容易に閲覧できず、非常に不便である。
【０００４】
また、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式または縦方向スライド式以外の新しい開閉機構を備えた電子装置が望まれている。
【０００５】
以上の問題点に鑑みて、本発明の目的は、表示側ケースが操作側ケースの短手方向に沿ってスライドするとともに、前記操作側ケースに対して斜めに開けられる携帯式電子装置を提供することである。
【課題を解決するための手段】
【０００６】
前記問題を解決するために、本発明に係る携帯式電子装置は、位置決め板が装着されている操作側ケースと、スライド機構と、前記スライド機構によって前記操作側ケース上にスライド可能に重ね合せられる表示側ケースと、を備えてなる。前記スライド機構は、連結板、少なくとも１つの弾性部材及び１つの支持部材を含む。前記連結板の一端は前記表示側ケースの片側に枢着され、前記連結板の他端は前記弾性部材の一端に連結する。前記弾性部材の他端は前記操作側ケースに連結され、且つ前記弾性部材は前記位置決め板と前記操作側ケースとの間に挟持される。前記支持部材の一端は前記操作側ケースにおける前記連結板から離れている片側に回転可能に固定され、前記支持部材の他端は前記表示側ケースに枢着される。外力により前記表示側ケースを前記操作側ケースに対してスライドさせると、前記連結板は前記操作側ケースに対してスライドすると共に前記弾性部材を湾曲させて前記弾性部材に弾発力を蓄積させ、前記表示側ケースは前記支持部材に支持されて前記操作側ケースに対して斜めに開けられる。
【発明の効果】
【０００７】
従来の技術に比べて、本発明の携帯式電子装置の表示側ケースは操作側ケースに対して短手方向にスライドするとともに斜めに開けられる。従って、前記表示側ケースの表示スクリーンは前記操作側ケースに対して一定の傾斜角度を呈して、ユーザーに所望の視覚角度を与えられる。
【図面の簡単な説明】
【０００８】
【図１】本発明の実施形態に係る携帯式電子装置の立体分解図である。
【図２】図１に示す携帯式電子装置の弾性部材を示す図である。
【図３】図１に示す携帯式電子装置が一体に組み立てられた後の閉じられた状態での斜視図である。
【図４】図３に示す携帯式電子装置の立体断面図である。
【図５】図３に示す携帯式電子装置の開いた状態での斜視図である。
【発明を実施するための形態】
【０００９】
本発明に係る携帯式電子装置は、携帯電話、個人用携帯情報端末（ＰＤＡ）、パソコンなどであってもよい。本実施形態において、携帯電話を例として説明する。
【００１０】
図１に示したように、本発明の携帯電話１００は、操作側ケース１０と、前記操作側ケース１０上に重ね合わせられる表示側ケース２０と、前記操作側ケース１０と前記表示側ケース２０との間に設けられるスライド機構３０と、を備える。前記スライド機構３０は、連結板３２、第一回転軸３４、支持部材３６、２つの第二回転軸３８及び２つの弾性部材３９を含む。前記操作側ケース２０と前記操作側ケース１０とは、前記スライド機構３０により一体に連結される。前記表示側ケース２０は、前記スライド機構３０により前記操作側ケース１０の短手方向に沿ってスライドすると共に、前記操作側ケース１０に対して傾くように立ち上がることができる。
【００１１】
前記操作側ケース１０は、ベース部材１２と、前記ベース部材１２に被覆されるカバー部材１４と、前記カバー部材１４上に固定される位置決め板１６と、前記位置決め板１６を前記カバー部材１４上に固設するために用いられる複数のネジ１８と、を含む。
【００１２】
前記ベース部材１２の前記カバー部材１４に対面する表面における前記ベース部材１２の長手方向の片側には、回転許容溝１２２が開設されている。前記回転許容溝１２２は、横断面が半円形である細長い長溝１２２２及び前記長溝１２２２の両端に位置し且つ前記支持部材３６を部分的に収納するために用いられる２つの収容溝１２２４を含む。
【００１３】
前記カバー部材１４は、前記表示側ケース２０に対面する上面１４２を含む。前記上面１４２には、前記携帯電話１００を制御する複数の押しボタン１４２２、前記支持部材３６を取付けるために用いられる２つのスロット１４２４、前記弾性部材３９の一端を固定するために用いられる固定孔１４２６が設けられている。前記押しボタン１４２２は、前記カバー部材１４の長手方向の片側に設けられており、前記スロット１４２４は前記カバー部材１４の長手方向の他側に設けられており、前記固定孔１４２６は前記押しボタン１４２２と前記スロット１４２４との間に設けられる。前記位置決め板１６には、前記カバー部材１４の固定孔１４２６に位置合わせるために用いられる複数の貫通孔１６２が設けられている。
【００１４】
前記表示側ケース２０は、下部ケース２２及び前記下部ケース２２上に被覆される上部ケース２４を含む。前記下部ケース２２の前記カバー部材１４に対面する表面には、２つの環状部２２２、２つの取付部２２４及び２つの通路２２６が設けられている。前記環状部２２２は、前記下部ケース２２の片側の長辺上に互いに離間して凸設されており、前記第一回転軸３４を取付けるために用いられる。前記２つの取付部２２４は、前記下部ケース２２の短手方向の両側に対称的に凸設されており、前記支持部材３６を取付けるために用いられる。各取付部２２４は、相対向し且つ互いに離間して設けられる２つの凸台２２４２を含む。各凸台２２４２の相対向する側壁には、前記第二回転軸３８を取付けるために用いられる回転孔２２４４が同じ軸線に設けられる。前記通路２２６は、前記取付部２２４の２つの凸台２２４２の間に開設される。前記上部ケース２４の前記下部ケース２２に背離する表面には、表示スクリーン２４２が設けられている。
【００１５】
前記連結板３２は、軸筒３２２及び前記軸筒３２２に一体に連結する滑動板３２４を含む。前記滑動板３２４には、前記弾性部材３９の他端を固定するために用いられる２つの固定孔３２４２が同じ軸線に設けられている。
【００１６】
前記支持部材３６は、円柱体である主体レバー部３６２及び前記主体レバー部３６２の両端に固定される２つの連接アーム３６４を含む。前記主体レバー部３６２を前記操作側ケース１０の長溝１２２２内に回転可能に収納することにより、前記支持部材３６を前記操作側ケース１０に固定する。各連接アーム３６４の自由端には、それを貫通する軸穴３６４２が設けられる。前記連接アーム３６４の自由端部を前記表示側ケース２０の通路２２６に挿入した後、前記連接アーム３６４の軸穴３６４２及び前記凸台２２４２の回転孔２２４４を位置合わせてから前記第二回転軸３８を挿入することにより、前記連接アーム３６４の一端は前記表示側ケース２０に回転可能に連結する。前記連接アーム３６４と前記主体レバー部３６２とは一体に連結され、且つ前記主体レバー部３６２は前記操作側ケース１０に取付けられるため、前記連接アーム３６４の他端は前記操作側ケース１０に回転可能に連結されると見なすことができる。
【００１７】
図２に示したように、本実施形態に係る弾性部材３９は、不規則な湾曲状を呈し、１つのＶ字状の第一弾性段３９２と、前記第一弾性段３９２の両端からそれぞれ外側へ延伸される２つの略孤状湾曲段３９４と、それぞれ前記２つの湾曲段３９４の端部に連接する２つのＵ字状の第二弾性段３９６と、２つのコイル状部３９８と、２つの取付端部３９９と、を備える。前記２つの第二弾性段３９６は、前記第一弾性段３９２の両側に対称的に設けられる。前記コイル状部３９８は、非密閉のリングであり、前記第二弾性段３９６の末端から延伸してなる。前記取付端部３３９は、前記コイル状部３９８の内部に設けられる。本実施形態において、前記取付端部３３９はネジである。
【００１８】
以下、図１、図３及び図４を参照しながら、本発明の携帯電話１００の組立工程を詳細に説明する。
【００１９】
まず、前記支持部材３６の主体レバー部３６２を前記ベース部材１２の回転許容部１２２の長溝１２２２に係合すると共に、前記主体レバー部３６２と前記連接アーム３６４との接続部位を前記回転許容部１２２の収容溝１２２４に収納する。それから、前記カバー部材１４を前記ベース部材１２上に被覆して、前記連接アーム３６４を前記カバー部材１４のスロット１４２４に貫通させる。このように、前記支持部材３６を前記操作側ケース１０に回転可能に取付ける。
【００２０】
次に、各弾性部材３９の１つの取付端部３９９を前記連結板３２の固定孔３２４２に固定し、各弾性部材３９のもう１つの取付端部３９９を前記カバー部材１４の固定孔１４２６に固定する。それから前記位置決め板１６を前記弾性部材３９上に被せてから、前記ネジ１８を前記位置決め板１６の貫通孔１６２及び前記カバー部材１４の固定孔１４２６を順次に貫かせて、前記位置決め板１６を前記操作側ケース１０に固定することにより、前記弾性部材３９が前記操作側ケース１０と前記表示側ケース２０との間の垂直方向で偏移しないようにする。
【００２１】
次に、前記連結板３２の軸筒３２２と前記下部ケース２２の環状部２２２とを位置合せてから、前記第一回転軸３４を１つの環状部２２２、前記軸筒３２２、他の環状部２２２を順次に貫かせて、前記第一回転軸３４の両端をそれぞれ前記環状部２２２に係止する。これにより、前記下部ケース２２は、前記第一回転軸３４を巡って前記連結板３２に相対的に回転することができる。前記下部ケース２２を前記連結板３２に対して一定の角度に回転させて前記弾性部材３９を圧縮してから、前記支持部材３６の２つの連接アーム３６４を前記下部ケース２２の２つの通路２２６にそれぞれ挿入する。それから前記第二回転軸３８を前記下部ケース２２の回転孔２２４４及び前記連接アーム３６４の軸穴３６４２に挿入して、前記連接アーム３６４の自由端部を前記下部ケース２２に回転可能に連結する。
【００２２】
最後に、前記上部ケース２４を前記下部ケース２２上に被覆して係合すると、前記携帯電話１００の組立が終わる。
【００２３】
図５に示したように、前記携帯電話１００を使用する場合、前記操作側ケース１０の前記押しボタン１４２２が設けられた一方から、前記表示側ケース２０を前記操作側ケース１０に対してスライドさせると、前記表示側ケース２０は前記支持部材３６の連接アーム３６４を誘導して前記主体レバー部３６２を巡って回転させる。前記表示側ケース２０に回転可能に連結される連結板３２は、前記操作側ケース１０の上面１４２に沿ってスライドすると共に前記弾性部材３９を圧縮して、前記弾性部材３９に弾発力を蓄積させる。この過程において、前記弾性部材３９の２つの第二弾性段３９６の開口は向き合って収縮すると共に、前記第一弾性段３９２の両辺を連動して向き合うように湾曲させる。
【００２４】
一方、前記支持部材３６は、前記表示側ケース２０のスライドに伴って回転する。即ち、前記主体レバー部３６２は前記操作側ケース１０の長溝１２２２内で前記操作側ケース１０に相対的に回転し、前記連接アーム３６４の端部は前記第二回転軸３８を巡って前記表示側ケース２０に相対的に回転する。以上により、前記表示側ケース２０の前記連結板３２に枢着されない片側は、前記操作側ケース１０に対して徐々に立ち上がり、前記表示スクリーン２４２は傾斜するようになる。
【００２５】
前記弾性部材３９の４つの取付端部３９９が同じ直線に位置すると、前記弾性部材３９の蓄積した弾発力は一番大きくなり、且つ付勢方向は前記４つの取付端部３９９の接続線の方向と一致する。続いて前記表示側ケース２０を推進すると、前記弾性部材３９は弾発力を解放して、前記表示側ケース２０は前記操作側ケース１０に対して継続的にスライドするとともに斜めに開けられる。従って、前記表示側ケース２０の前記連結板３２に枢着される一端は自動的にスライドする。前記連結板３２は前記位置決め板１６に当止されると、前記表示側ケース２０は前記操作側ケース１０に対して安定に停止されて、前記表示スクリーン２４２は所望の傾斜角度に維持される。
【００２６】
なお、本発明の携帯電話１００において、前記弾性部材３９の数量は、２つに限定されるものではなく、１つであってもよい。
【００２７】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであることはいうまでもない。
【符号の説明】
【００２８】
１０        操作側ケース
１２        ベース部材
１４        カバー部材
１６        位置決め板
１８        ネジ
２０        表示側ケース
２２        下部ケース
２４        上部ケース
３０        スライド機構
３２        連結板
３４        第一回転軸
３６        支持部材
３８        第二回転軸
３９        弾性部材
１２２      回転許容部
１４２      上面
１６２      貫通孔
２２２      環状部
２２４      取付部
２２６      通路
２４２      表示スクリーン
３２２      軸筒
３２４      滑動板
３６２      主体レバー部
３６４      連接アーム
３９２      第一弾性段
３９４      湾曲段
３９６      第二弾性段
３９８      コイル状部
３９９      取付端部
１２２２    長溝
１２２４    収容溝
１４２２    押しボタン
１４２４    スロット
１４２６    固定孔
２２４２    凸台
２２４４    回転孔
３２４２    固定孔
３６４２    軸穴
【図１】
2011199835.tif 000003
【図２】
2011199835.tif 000004
【図３】
2011199835.tif 000005
【図４】
2011199835.tif 000006
【図５】
2011199835.tif 000007